(57)【要約】【課題】壁に凹設された格納庫に直立状態で収納される床板を前後に揺れ動くことなく安定的に保持できる様にした壁面収納舞台の直立保持装置を提供する。【解決手段】車輪5bを設けて前後動可能と成した幕板２と、該幕板２上に水平状態と直立状態に俯仰可能に設けた床板３の直立状態とで壁Ｗに凹設された格納庫Ｈの開口部H1を閉塞して格納庫Ｈ内に収容される壁面収納舞台１、1aにおいて、直立状態の前記床板３の上端に設けたローラー23ａを上方付勢して成るローラープランジャ23と、前記開口部H1の上端縁に前記ローラー23ａを係脱自在に設けたローラー受け24とから構成する。【選択図】図８
2018099248.tif 000002
【特許請求の範囲】
【請求項１】
車輪を設けて前後動可能と成した幕板と、該幕板上に水平状態と直立状態に俯仰可能に設けた床板の直立状態とで壁に凹設された格納庫の開口部を閉塞して格納庫内に収容される壁面収納舞台において、直立状態の前記床板の上端に設けたローラーを上方付勢して成るローラープランジャと、前記開口部の上端縁に前記ローラーを係脱自在に設けたローラー受けとから成ることを特徴とする壁面収納舞台の直立保持装置。
【請求項２】
壁面収納舞台は、壁に凹設された格納庫の奥方床面上に前方束柱を直立固定し、該前方束柱と同一高にして、後端面上に幕板を配置すると共に、前後動可能に車輪を設けた後方束柱を前方束柱に対し左右方向で平行に配置し、前方束柱の上部には水平状態と直立状態に俯仰可能な前方大引の基端を枢着し、後方束柱の上部には水平状態と直立状態に俯仰可能な前方大引より長い後方大引の基端を枢着し、前方大引の先端と、該先端に相当する後方大引の中間部位とを相互に左右平行状態で屈伸可能に連結し、後方大引にはその長さに相当する奥行きを有する床板を設け、前方大引と後方大引とを二つ折りに屈曲させた床板の直立状態で格納庫内に収容可能と成したことを特徴とする請求１記載の壁面収納舞台の直立保持装置。
【請求項３】
壁面収納舞台は、壁に凹設された格納庫の奥方床面上に前方束柱を直立固定し、該前方束柱と同一高にして、後端面上に幕板を配置すると共に、前後動可能に車輪を設けた後方束柱を前方束柱に対し左右方向で平行に配置し、前方束柱の上部には水平状態と直立状態に俯仰可能な前方大引の基端を枢着し、後方束柱の上部には水平状態と直立状態に俯仰可能な前方大引より長い後方大引の基端を枢着し、前方大引の先端と、該先端に相当する後方大引の先端寄り部位とを相互に左右平行状態で屈伸可能に連結し、後方大引にはその長さに相当する奥行きを有する床板を設け、前方大引には、後方大引との水平伸展状態で床板の前端に該床板と同一平面上に連続する前置床板を設け、前方大引と後方大引とを二つ折りに屈曲させて前置床板と床板を裏合せに折り立て変形させた状態で格納庫内に収容可能と成したことを特徴とする請求項１記載の壁面収納舞台の直立保持装置。
【発明の詳細な説明】
【技術分野】
【０００１】
本発明は、壁に凹設された格納庫の開口部を幕板と該幕板上に直立させた床板で閉塞して格納庫に収納される壁面収納舞台の直立保持装置に関する。
【背景技術】
【０００２】
特許文献１には、前後動可能に車輪を設けた幕板と、該幕板上に水平状態と直立状態に俯仰可能に設けた床板とで壁に凹設された格納庫の開口部を閉塞する壁面収納舞台が開示されている。
【０００３】
この壁面収納舞台は、床板左右の側板に床板に対して前脚と車輪付き後脚とを夫々回動可能に連結し、前端にワイヤ巻取ドラムを設置してワイヤを前脚下部に備えたアイドルローラの下に連繋通過させると共にその先端を後脚に連結し、両側の前脚側方にガイドローラを突設し、該ガイドローラを格納庫側壁に埋設したガイドレール内に走行可能に装着し、舞台収納に際して、巻取ドラムを巻取回転することでワイヤが強く張設されてアイドルローラを押し上げ、前脚が浮上して床板を初期前傾させ、ついでワイヤが後脚を前方に引くことから、床板が起立し、ガイドローラが垂直なガイドレール内を走行するため床板を円滑に直立させられる。
【０００４】
この舞台の直立状態では、床板の上部は前脚を介して連結されるガイドローラがガイドレール内の上方に配置されて支持されているため、直立する床板の伸長が高くても前後に揺れることがなくその直立状態が安定的に保持されている。
【先行技術文献】
【特許文献】
【０００５】
【特許文献１】実開平６−２１７００号公報
【発明の概要】
【発明が解決しようとする課題】
【０００６】
ところで、上記ガイドレールは、格納庫の側壁に予め埋設せねばならないが、そのガイドレール施工時には、壁面収納舞台は格納庫等のその他の内装工事のため、同時に設置できず、内装工事完了後に改めて壁面収納舞台を設置工事をせねばならないといった手間を要すると共に、コスト高となるといった課題を有していた。
【０００７】
そこで、本発明では、壁に凹設された格納庫に直立状態で収納される床板を上記ガイドレールを用いずに前後に揺れ動くことなく安定的に保持できる様にした壁面収納舞台の直立保持装置を提供することを目的としている。
【課題を解決するための手段】
【０００８】
上記課題に鑑み、本発明の壁面収納舞台の直立保持装置は、車輪を設けて前後動可能と成した幕板と、該幕板上に水平状態と直立状態に俯仰可能に設けた床板の直立状態とで壁に凹設された格納庫の開口部を閉塞して格納庫内に収容される壁面収納舞台において、直立状態の前記床板の上端に設けたローラーを上方付勢して成るローラープランジャと、前記開口部の上端縁に前記ローラーを係脱自在に設けたローラー受けとから成ることを特徴とする。
又、壁面収納舞台は、壁に凹設された格納庫の奥方床面上に前方束柱を直立固定し、該前方束柱と同一高にして、後端面上に幕板を配置すると共に、前後動可能に車輪を設けた後方束柱を前方束柱に対し左右方向で平行に配置し、前方束柱の上部には水平状態と直立状態に俯仰可能な前方大引の基端を枢着し、後方束柱の上部には水平状態と直立状態に俯仰可能な前方大引より長い後方大引の基端を枢着し、前方大引の先端と、該先端に相当する後方大引の中間部位とを相互に左右平行状態で屈伸可能に連結し、後方大引にはその長さに相当する奥行きを有する床板を設け、前方大引と後方大引とを二つ折りに屈曲させた床板の直立状態で格納庫内に収容可能と成したことを特徴とする。
或いは、壁面収納舞台は、壁に凹設された格納庫の奥方床面上に前方束柱を直立固定し、該前方束柱と同一高にして、後端面上に幕板を配置すると共に、前後動可能に車輪を設けた後方束柱を前方束柱に対し左右方向で平行に配置し、前方束柱の上部には水平状態と直立状態に俯仰可能な前方大引の基端を枢着し、後方束柱の上部には水平状態と直立状態に俯仰可能な前方大引より長い後方大引の基端を枢着し、前方大引の先端と、該先端に相当する後方大引の先端寄り部位とを相互に左右平行状態で屈伸可能に連結し、後方大引にはその長さに相当する奥行きを有する床板を設け、前方大引には、後方大引との水平伸展状態で床板の前端に該床板と同一平面上に連続する前置床板を設け、前方大引と後方大引とを二つ折りに屈曲させて前置床板と床板を裏合せに折り立て変形させた状態で格納庫内に収容可能と成したことを特徴とする。
【発明の効果】
【０００９】
要するに本発明は、上記構成より成るので、幕板上に床板を直立させて格納庫の開口部を閉塞した壁面収納舞台の格納庫収納状態において、床板上端のローラープランジャの上方に付勢されたローラーが前記開口部の上端縁に設けたローラー受けに係止されるため、直立状態の床板上端が格納庫を凹設した壁に連結支持され、その直立状態を従来の様なガイドレールを用いることなく安定的に保持でき、よって壁面収納舞台の設置工事が従来に比し簡単に施工でき、そのコストを低減できる等その実用的効果甚だ大である。
【図面の簡単な説明】
【００１０】
【図１】壁面収納舞台の側面図である。
【図２】床板及び根太を省略した平面図である。
【図３】図２のＡ−Ａ断面図である。
【図４】図２のＢ−Ｂ断面図である。
【図５】図２のＣ−Ｃ断面図である。
【図６】変形中の舞台の側面図である。
【図７】壁面収納状態を示す舞台の側面図である。
【図８】図７の要部拡大断面図である。
【図９】図８の一部破断Ｄ矢視図である。
【図１０】図９のＥ矢視図である。
【図１１】壁面収納舞台の他例を示す側面図である。
【図１２】同上床板及び根太を省略した平面図である。
【図１３】同上変形中の舞台の側面図である。
【図１４】同上壁面収納状態を示す舞台の側面図である。
【発明を実施するための形態】
【００１１】
以下本発明の実施の一形態例を図面に基づいて説明する。
本発明に係る壁面収納舞台（以下、単に舞台とも称する。）１は、舞台設置室Ｒの壁Ｗに凹設された格納庫Ｈの開口部H1を幕板２と該幕板２上に直立させた床板３で閉塞して格納庫Ｈに収納可能に設けられている。
【００１２】
格納庫Ｈの奥方床面ｆ上には、所定高さの前方束柱４（以下、単に束柱４とも称する。）をアンカーボルトにて直立固定し、該前方束柱４と同一高にして、前後動可能な車輪5bを設けた後方束柱５（以下、単に束柱５とも称する。）を前方束柱４に対し前後動自在に配置している。
【００１３】
図２に示す様に、前方及び後方束柱４、５は、横手（左右）方向に所定間隔を置いて８本を起立配置し、前後で対応する束柱４、５は左右方向で平行に（食い違い）配置し、隣接する前方束柱４同士及び後方束柱５同士は、その上中下段が縛貫６、6a、6bで連結され、該縛貫６、6a、6bは前方及び後方束柱４、５に一体と成している（図３、５参照）。
尚、左右側縁の後方束柱５の後端面間に左右方向に長い帯状の幕板２を架設し、該幕板２を後方束柱５の後端面上に配置している。
【００１４】
前方束柱４の上部には水平状態と直立状態に俯仰可能な前方大引７（以下、単に大引７とも称する。）の基端を枢着し、後方束柱５の上部には水平状態と直立状態に俯仰可能な前方大引７より長い後方大引８（以下、単に大引８とも称する。）の基端を枢着している。
【００１５】
これにより、前方及び後方大引７、８の水平状態では、前方及び後方束柱４、５の内向面4a、5aの上部に対し直角に突出し、垂直状態で前方及び後方束柱４、５の上端面上に直立する様に成している（図２、３、５、７参照）。
そして、前方大引７の先端と、該先端に相当する後方大引８の中間部位とを相互に左右平行状態で屈伸可能に連結している。
【００１６】
又、束柱４、５の中間にして、後方束柱５の真正面には中間束柱９を８本起立配置しており、隣接する中間束柱９同士は、その上下段が縛貫10、10ａで連結されている（図２、４参照）。
【００１７】
そして、前方束柱４の下段縛貫6bと中間束柱９の下段縛貫10ａ、及び後方束柱５の下段縛貫6bと中間束柱９の下段縛貫10ａとは、所定間隔置き（各束柱４、５、９に近接して）に夫々が８本の連接杆11にて枢着連結されている。
尚、左右側方の前後の夫々で平行な２本の連接杆11にはその前後に連杆11ａを平行に架設している。
【００１８】
後方大引８の上記中間部位は、中間束柱９の上端左右より一対の舌片を後方突設したブラケット9a先端に枢着され、該ブラケット9aの左右舌片間に中間束柱９に対し直角に挿通・離脱する様に回動可能と成しており、中間束柱９は後方大引８の水平状態で束柱４、５の中間となる後方大引８の中間部位より下方へ直角に突出して着地し、後方大引８の直立状態で後方大引８と並列する様にブラケット9aを介して後方大引８に連結されている。
【００１９】
前方大引７はその先端が中間束柱９間の上段縛貫10における前方束柱４との対向面に水平突設したブラケット12に枢着連結されている（図２、４参照）。
【００２０】
ここにブラケット12、中間束柱９上端（ブラケット9a）と、これらを一体連結してなる縛貫10とが前方及び後方大引７、８を屈伸させる連結部13となる。
【００２１】
又、後方大引８にはその長さに相当する奥行きを有する床板３を設けている。
そして、前方大引７と後方大引８とをその連結部13で二つ折りに屈曲させた床板３の直立状態で、上端となる床板３の前端に対応して格納庫Ｈの天井高さが設定され、床板３が格納庫Ｈの開口部H1上端の壁面Ｗと同一垂直面上に位置して開口部H1を閉塞する様に成している（図７参照）。
【００２２】
床板３（図２では説明の便宜上二点鎖線で示す。）と後方大引８との間には、該後方大引８に直交する様に、前後方向に所定間隔置きに複数平行配置した根太14（図２では説明の便宜上一部のみ二点鎖線で示し、その他は省略。）が介装固定されている。
尚、根太14の全長は左右側端の後方束柱５の間隔と同一長に設定されている。
【００２３】
各束柱４、５における前方及び後方大引７、８の基端枢軸より下方には、前方及び後方大引７、８の屈曲状態で無負荷状態の圧縮コイルバネ15を外嵌すると共に、該圧縮コイルバネ15の一端を当止め支持するバネ受け16を基端側に設けたバネ支持杆17の基端を前方及び後方大引７、８の俯仰方向に揺動自在に枢着し、無負荷状態の圧縮コイルバネ15の他端に当接してバネ支持杆17の先端側を遊嵌するバネ押え18を前方及び後方大引７、８の適所（図示例では大引７、８裏面）に固定して成る開閉器19を設けている。
【００２４】
圧縮コイルバネ15は、内外径は同径だが、バネ定数の異なる２本以上（図示例では３本）の圧縮コイルバネ15ａ、15ｂ、15ｃを直列に連接して成り、各圧縮コイルバネ15ａ、15ｂ、15ｃの長さ及びバネ定数は適宜に設定される。
【００２５】
バネ支持杆17は、無負荷状態の圧縮コイルバネ15ａ、15ｂ、15ｃの直列長さよりも長い螺子棒から成り、その基端を束柱４、５において、大引７、８の基端枢軸より下方の内向面4a、5aに水平突設したブラケット20に枢着している。
【００２６】
又、バネ支持杆17の基端には２個のナット21、21ａを螺着すると共に、バネ支持杆17の先端側のナット21には、バネ支持杆17を挿通し、且つ外径が圧縮コイルバネ15ｂ、15ｂ、15ｃの内径より大きい円板状のバネ受け16を当接している。
【００２７】
尚、バネ支持杆17上のナット21、21ａの移動にてバネ受け16とバネ押え18との間隔を調整でき、これにより圧縮コイルバネ15ａ、15ｂ、15ｃの付勢力を調整可能と成している。
【００２８】
バネ押え18は大引７、８裏面に束柱４、５の内向面4a、5aに対向する様に垂設した圧縮コイルバネ15ａ、15ｂ、15ｃの外径より大きい方形板であり、該方形板の中心にはバネ支持杆17のみを挿通している。
【００２９】
次に、上記壁面収納舞台１に備えた直立保持装置22について説明する。
この直立保持装置22は、直立状態の床板３の上端に設けたローラー23ａを上方付勢して成るローラープランジャ23と、格納庫Ｈの開口部H1上端縁にローラー23ａを係脱自在に設けたローラー受け24とから構成されている。
【００３０】
ローラープランジャ23は、床板３の（これの直立状態で上端となる）前端の下部の少なくとも左右（図示例では左右及び中央の３箇所）に固定されている（図２参照）。
【００３１】
ローラー23ａは、左右一対の帯板を平行配置して成るフォーク25の先端に転動自在に支持され、該フォーク25はその外側面上に細長板状の摺接板25ａを固着して角パイプ状のスリーブ26に摺動自在に挿通されている。
【００３２】
そして、フォーク25の長手方向の中央間に架設されたバネ押え板25ｂとスリーブ26の基端開口部端面にバネ押え板25ｂと立体交差する様に架設したバネ受け板26ａとの間に、先端がナット27、27ａで締結されて抜止めされたボルト28が挿通されると共に、該ボルト28に圧縮コイルバネ（以下、単にバネと称する。）29を外嵌している。
【００３３】
この様にして、スリーブ26の先端開口部から突出するフォーク25先端側と共に突出するローラー23ａをバネ29にて外方へ付勢してスリーブ26に対し進退自在と成したローラープランジャ23を構成している。
【００３４】
又、ローラープランジャ23において、スリーブ26の正面及び背面には補強板30、30ａを固着し、背面の補強板30ａの左右には、スリーブ26の軸線方向に平行な長孔31ａを穿設した固定板31を連設し、各固定板31の長孔31ａに挿通した２個のボルト32を床板３の前端下部適所に固着した基板33に螺着している。
【００３５】
ローラー受け24は、格納庫Ｈの開口部H1上端縁の適所に前後に長い矩形基板34が固定され、該矩形基板34上にローラー23ａの転動方向に対応する前後から中央に向かって傾斜してローラー23ａが係脱可能な谷型の凹部35を設けている。
【００３６】
次に、直立保持装置22を備えた壁面収納舞台1aの他例について図11〜14に基づいて説明する。
この舞台1aは、前方大引７の先端と、該先端に相当する後方大引８の先端寄り部位とを相互に左右平行状態で屈伸可能に連結し、後方大引８にはその長さに相当する奥行きを有する床板３を設け、前方大引７には、後方大引８との水平伸展状態で床板３の前端に該床板３と同一平面上に連続する前置床板3aを設け、前方大引７と後方大引８とを二つ折りに屈曲させて前置床板3aと床板３を裏合せに折り立て変形させた状態で格納庫Ｈ内に収容可能と成したものであり、上記舞台１と基本構成を同一にするものであり、上記と同一又は相当部分には同じ符号を図面に付し、説明を省略する。
【００３７】
又、後方大引８にはその長さに相当する奥行きを有する床板３を設け、前方大引７には、その基端から後方大引８との水平伸展状態で床板３の前端に該床板３と同一平面上に連続する奥行きを有する前置床板3aを設けている。
【００３８】
そして、前方大引７と後方大引８とをその連結部13で二つ折りに屈曲させて床板３と前置床板3aを裏合せに折り立て変形させた状態で、上端となる床板３の前端に対応して格納庫Ｈの天井高さが設定され、床板３が格納庫Ｈの開口部H1上端の壁面Ｗと同一垂直面上に位置して開口部H1を閉塞する様に成している（図14参照）。
【００３９】
床板３は、前置床板3a（以下、単に床板3aとも称する。）より奥行きが長く設定されているが、両床板３、3aともに横幅が同長に設定され（図12では説明の便宜上二点鎖線で示す。）ており、両床板３、3aと前方及び後方大引７、８との間には、該前方及び後方大引７、８に直交する様に、前後方向に所定間隔置きに複数平行配置した根太14、14ａ（図２では説明の便宜上一部のみ二点鎖線で示し、その他は省略。）が介装固定されている。
【００４０】
尚、床板３下部の根太14の全長は左右側端の前方束柱４の間隔と同一長に設定され、前置床板3a下部の根太14ａの全長は左右側端の後方束柱５の間隔と同一長に設定されている。
【００４１】
上記の様に構成された壁面収納舞台１、1aにあっては、前方大引７と後方大引８とをその連結部13で二つ折りに屈曲させて図７、14に示す様に幕板２上に床板３を直立させると、床板３上端のローラープランジャ23のバネ29にて上方に付勢されたローラー23ａが格納庫Ｈの開口部H1の上端縁に設けたローラー受け24の凹部35に係止され、ローラー23ａはバネ29の付勢力によって凹部35を常に上方へ押圧しているため、直立状態の床板３上端が格納庫Ｈを凹設した壁Ｗに一体的に連結支持され、その直立状態が安定的に保持される。
【００４２】
そして、床板３が格納庫Ｈの開口部H1上端の壁面Ｗと同一垂直面上に位置して、その開口部H1を閉塞する様に、舞台１、1aは格納庫Ｈ内に収容される。
【００４３】
壁面収納状態の舞台１、1aを舞台に変形させるには、幕板２を床板３と共に格納庫Ｈからその外側の後方へ引き出し、大引７、８を傾倒させ、ローラー23ａをローラー受け24の凹部35から離脱させる。
【００４４】
前方及び後方大引７、８とバネ支持杆17は俯仰（揺動）方向が同じであるが、夫々の回転中心を異にし、バネ支持杆17はその先端側が大引７、８の夫々に固定されたバネ押え18を挿通して進退可能なため大引７、８の俯仰に追従する。
【００４５】
このため、図７、14に示す直立状態の大引７、８を傾倒させると、バネ押え18に対するバネ支持杆17の先端側の貫通突出長が徐々に長くなり、従ってバネ押え18とバネ受け16間の間隔が狭まって床板７、８の直立状態で無負荷状態で自由高さの圧縮コイルバネ15は徐々に圧縮されることで負荷が付与され、床板３、3aは大引７、８と共に水平状態となって舞台が構成される。
【００４６】
又、大引７、８の傾倒中では、圧縮コイルバネ15ａ、15ｂ、15ｃのいずれにも同様の負荷が作用し、その負荷が小さい傾倒当初は圧縮コイルバネ15ａ、15ｂ、15ｃの３本のバネ定数は小さく、１本だけのときよりも縮みの割合が大きくなるため、同じ負荷しか作用させなくてもしなやかに大引７、８と共に床板３、3aを傾倒させられる。
【００４７】
そして、床板３、3aの勾配が緩やかになり負荷が極めて大きくなり、圧縮コイルバネ15ａ、15ｂ、15ｃのバネ定数の小さいものから順に縮まなくなると、全体のバネ定数はバネ定数の最も大きいものと同じになり大きくなり、その縮みの割合が小さくなる。
【００４８】
この様に、負荷の大きさに応じてバネ定数を変化させられ、傾倒当初は比較的スムーズに傾倒させられ、その勾配が水平に近づくと、圧縮コイルバネ15の付勢力に抗してこれを徐々に圧縮させられるため、床板３、3aが急激に進展して床面ｆに衝撃を生じさせることなく、揺動が緩やかとなり、床板３、3aを良好に傾倒操作でき、安全に舞台に変形させられる。
【００４９】
尚、舞台1aにあっては、床板３、3aの傾倒中においてローラー23ａは床板３の前端より突出しているため、対向する床板3aの後端に接触するが、この時ローラー23ａはスリーブ26内に一旦後退して逃げるため、床板３、3a同士はスムーズに動作し、支障なく直立又は水平状態に移行する。
【００５０】
又、水平状態の床板３、3aの直立変形時には、圧縮状態にある圧縮コイルバネ15を床板３、3aの起立方向へ付勢させられ、かかる圧縮コイルバネ15の付勢力によって重い床板３、3aの起立方向に持ち上げようとする力を助勢し、軽い力で舞台を円滑に直立変形させられる。
【００５１】
この時、圧縮された圧縮コイルバネ15ａ、15ｂ、15ｃは、上記と逆の手順で伸びるので、起立当初は、バネ定数の最も大きいもののみによる大きい付勢力で伸びの小さいゆっくりな動作で床板３、3aの傾斜を助勢でき、その勾配が増すと、圧縮コイルバネ15ａ、15ｂ、15ｃが伸びるため、比較的スムーズに床板３、3aを直立させられ、ローラープランジャ23のローラー23ａはローラー受け24の凹部35の前方傾斜面にバネ29の付勢力に抗して下方へ押圧されながら転動し、ローラー受け24の凹部35中央に配置される。
【００５２】
１    壁面収納舞台
1a    壁面収納舞台
２    幕板
３    床板
3a    前置床板
４    前方束柱
５    後方束柱
5b    車輪
７    前方大引
８    後方大引
23ａ  ローラー
23    ローラープランジャ
24    ローラー受け
ｆ    床面
Ｈ    格納庫
H1    開口部
Ｗ    壁
【図１】
2018099248.tif 000003
【図２】
2018099248.tif 000004
【図３】
2018099248.tif 000005
【図４】
2018099248.tif 000006
【図５】
2018099248.tif 000007
【図６】
2018099248.tif 000008
【図７】
2018099248.tif 000009
【図８】
2018099248.tif 000010
【図９】
2018099248.tif 000011
【図１０】
2018099248.tif 000012
【図１１】
2018099248.tif 000013
【図１２】
2018099248.tif 000014
【図１３】
2018099248.tif 000015
【図１４】
2018099248.tif 000016